(57)【要約】    【課題】ソケットコネクタに接続された電線を斜めに引っ張ってソケットコネクタをベースコネクタから引き抜くときに、こじれを生ずる。    【解決手段】ボード・トゥ・ワイヤ用でダブル（コンタクトの２列配列）の縦型コネクタにおいて、フォーク状のベースコンタクト７が弾性舌片３３を持つソケットコンタクト１０をコネクタ幅方向Ｙに弾性的に挟む。コネクタ幅方向Ｙの力によるこじりを受ける場合にも、両コンタクト７，１０間に十分な接圧を確保する。一方の列のフォーク状のベースコンタクト７の弾性片部１７をベースハウジング５の中間壁５６により受け、他方の列のベースコンタクト７の準固定片部１６をベースハウジング５の側壁５２又は５３により受ける。ソケットコンタクト１０の主体部２７をベースコンタクト７の準固定片部１６を介してベースハウジング５の側壁５２，５３の内面により受ける。【選択図】  図６
2005196975.tif 000002
【特許請求の範囲】
【請求項１】
基板表面への取付面を有するベースハウジングおよびベースハウジングに２列に並んで保持されるベースコンタクトを含むベースコネクタと、
電線端部に接続された状態で上記取付面と直交する方向に沿ってベースコネクタに装着されるソケットハウジングおよびソケットハウジングに２列に並んで保持されるソケットコンタクトを含むソケットコネクタとを備え、
各ソケットコンタクトは、主体部と、この主体部から折り返された弾性舌片とを含み、  各ベースコンタクトは、対応するソケットコンタクトの主体部および弾性舌片にそれぞれ接触する準固定片部および弾性片部を有し、主体部および弾性舌片を一括して挟持するフォーク形形状をなし、
ベースハウジングは、上記取付面を含む底壁と、底壁に沿って長く延びる相対向する一対の側壁と、底壁から一対の側壁に平行に延びる中間壁とを含み、
２列のベースコンタクトは互いの弾性片部を内側に配置すると共に準固定片部を外側に配置しており、弾性片部はベースハウジングの中間壁によって変位が規制され、準固定片部はベースハウジングの対応する側壁によって受けられることを特徴とするコネクタ。
【請求項２】
請求項１において、上記弾性舌片および弾性片部はコネクタの挿抜方向と交差する方向に互いに対向して隆起する山形突起をそれぞれ有し、両コンタクトの接続時に山形突起が互いに相手方の山形突起を乗り越えて係合することを特徴とするコネクタ。
【請求項３】
請求項１又は２において、上記ベースハウジングは長手方向の一対の端部に係止部を含み、
ソケットハウジングは、両ハウジングの結合時に、ベースハウジングの対応する係止部に係合するロック用のフックを含むことを特徴とするコネクタ。
【請求項４】
請求項１，２又は３において、各コンタクト収容室はソケットコンタクトの主体部を外方へ臨ませる開放部を有し、各ソケットコンタクトの主体部は準固定片部を介してベースハウジングの対応する側壁の壁面により受けられることを特徴とするコネクタ。
【発明の詳細な説明】
【技術分野】
【０００１】
本発明は、例えば基板表面とフレキシブル配線とを互いに接続するためのコネクタに関する。
【背景技術】
【０００２】
この種のコネクタは、ボード・トゥ・ワイヤ（ＢtoＹ：基板対電線）型と称される。ボード・トゥ・ワイヤ型のコネクタとして、基板表面に実装されたベースコクタに対して、基板表面と直交する方向に沿ってソケットコネクタを挿抜する、いわゆる縦型のコネクタがある。
また、近年、この種のコネクタでは、薄肉化、小型化（例えばコンタクトの配置ピッチを１ｍｍ以下とする）とともに、例えば２０極、３０極、４０極というような多極化が進んでおり、ハウジングが長尺になる傾向にあり、長尺の場合、長手方向の力によるこじりを受けると、両コンタクト間の接触圧が不安定になるおそれがある。
【０００３】
一方、ソケットコンタクトとベースコンタクトをともに弾性変形可能とするコネクタが提供されている（例えば特許文献１参照）。
【特許文献１】特開２０００−８２５１９号公報
【発明の開示】
【発明が解決しようとする課題】
【０００４】
ソケットコネクタをベースコネクタから引き抜くときに、ソケットコネクタに接続された電線が引っ張られて引き抜かれる場合がある。この場合、上記のように縦型であると、こじれが生じ易く、こじれを生ずるとコンタクト間の接圧が不安定になるという問題がある。
本発明は上記課題に鑑みてなされたものであり、こじれに強いコネクタを提供することを目的とする。
【課題を解決するための手段】
【０００５】
上記目的を達成するため、本発明は、基板表面への取付面を有するベースハウジングおよびベースハウジングに２列に並んで保持されるベースコンタクトを含むベースコネクタと、電線端部に接続された状態で上記取付面と直交する方向に沿ってベースコネクタに装着されるソケットハウジングおよびソケットハウジングに２列に並んで保持されるソケットコンタクトを含むソケットコネクタとを備え、各ソケットコンタクトは、主体部と、この主体部から折り返された弾性舌片とを含み、各ベースコンタクトは、対応するソケットコンタクトの主体部および弾性舌片にそれぞれ接触する準固定片部および弾性片部を有し、主体部および弾性舌片を一括して挟持するフォーク形形状をなし、ベースハウジングは、上記取付面を含む底壁と、底壁に沿って長く延びる相対向する一対の側壁と、底壁から一対の側壁に平行に延びる中間壁とを含み、２列のベースコンタクトは互いの弾性片部を内側に配置すると共に準固定片部を外側に配置しており、弾性片部はベースハウジングの中間壁によって変位が規制され、準固定片部はベースハウジングの対応する側壁によって受けられることを特徴とする。
【０００６】
本発明では、いわゆるボード・トゥ・ワイヤ用でダブル（コンタクトの２列配列）の縦型コネクタにおいて、フォーク状のベースコンタクトが弾性舌片（いわゆるベローズ）を有するソケットコンタクトをコネクタ幅方向に弾性的に挟む構造を採用しているので、コネクタ幅方向の力によるこじりを受ける場合にも、十分な接圧を確保することができ、また、コネクタ長手方向の力によるこじり（いわゆるピッチこじり、ピッチングこじり）を受ける場合にも、両コンタクト間の接圧が影響を受け難い。また、一方の列のフォーク状のベースコンタクトの弾性片部が中間壁により受けられる一方、他方の列のベースコンタクトがベースハウジングの側壁により受けられる点からも、コネクタ幅方向の力によるこじりに対して強い。さらに、両コンタクトに弾性を持たせてあるので、接続時に十分な量の弾性変形量を確保できるので、接続動作時に強いクリック感（接続達成感）を作業者に与えることができる。特に、コンタクトは金属からなるので、樹脂部材同士でクリック感を得る場合と比較して、接続動作時により強いクリック感を得ることができる。
【０００７】
本発明において、上記弾性舌片および弾性片部はコネクタの挿抜方向と交差する方向に互いに対向して隆起する山形突起をそれぞれ有し、両コンタクトの接続時に山形突起が互いに相手方の山形突起を乗り越えて係合する場合がある。この場合、山形突起同士を係合させるので、両コンタクトが互いに抜け難い。また、両コンタクトを互いに接続するときに、山形突起同士の乗り越え動作で良好なクリック感を得ることができる。
【０００８】
また、本発明において、上記ベースハウジングは長手方向の一対の端部に係止部を含み、ソケットハウジングは、両ハウジングの結合時に、ベースハウジングの対応する係止部に係合するロック用のフックを含む場合がある。この場合、両ハウジングが長手方向の端部においてロックされるので、いわゆるピッチこじりが発生し難い。
また、本発明において、各コンタクト収容室はソケットコンタクトの主体部を外方へ臨ませる開放部を有し、各ソケットコンタクトの主体部は準固定片部を介してベースハウジングの対応する側壁の壁面により受けられる場合がある。この場合、主体部に対応して開放部を設けることにより、ソケットハウジングの幅を低くすることができ、結果として、両コネクタを組み合わせたときの幅を低くすることができる。また、両コネクタが結合した状態で、主体部をベースハウジングによって受けるので、開放部の形成による不具合を生じることがなく、両コネクタの幅方向に関するこじれなくすことができる。
【発明を実施するための最良の形態】
【０００９】
本発明の好ましい実施の形態を添付図面を参照しつつ説明する。
図１は本発明の一実施の形態のコネクタの概略分解斜視図であり、図２は概略分解側面図である。図１および図２を参照して、本コネクタは、基板１の表面１ａに実装されるベースコネクタ２と、電線３の端部に接続されるソケットコネクタ４とを互いに連結可能に備えている。なお、図２および図５では、簡略化のため、コネクタの極数を少なくして示してある。
【００１０】
ベースコネクタ２は、基板１の表面１ａへの取付面としての底面５ａを有する左右に長いベースハウジング５と、ベースハウジング５によって保持された複数のベースコンタクト７（図３参照）を備える。ベースコンタクト７は、基板１の表面１ａの導電性部材（図示せず）に半田付けされるリード部１９を含む。
図１、図２および図３を参照して、ソケットコネクタ４は、前半部４ａに一対の挿入凸部５７を有するソケットハウジング９と、ソケットハウジング９によって保持された複数のソケットコンタクト１０（図３参照）とを備える。
【００１１】
図１および図２を参照して、ソケットハウジング９の左右の端部には、揺動可能な片持ち状の弾性アーム６１が設けられ、弾性アーム６１の先端にはハウジングロック用のフック６２がそれぞれ設けられている。一方、ベースハウジング５の左右の端部には、対応するフック６２が係止可能な段部からなる係止部６３が設けられている。図５に示すように、各フック６２が対応する係止部６３に係止することにより、ベースハウジング５からのソケットハウジング９の抜け止めが達成される。
【００１２】
ベースハウジング５は、図１に示すように平面視で矩形をなし、図２および図３に示すように上記の取付面としての底面５ａを含む底壁５１を備える。ベースハウジング５は、底壁５１の四則を取り囲む、相対向する一対の側壁５２，５３（図３参照）および相対向する一対の端壁５４，５５（図２参照）を備えると共に、底壁５１から一対の側壁５２，５３に平行に延びる中間壁５６（図３参照）を備える。一対の側壁５２，５３は底壁５１に沿って長く延びる長尺の壁であり、端壁５４，５５は短尺の壁である。
【００１３】
図３を参照して、ベースハウジング５は、ソケットコネクタ４の前半部４ａに設けられ一対の挿入凸部５７を上記の取付面としての底面５ａに直交する方向Ｚに沿ってそれぞれ挿抜させるための一対の挿入凹部６を有している。一対の挿入凹部６は、ベースコネクタ２の長手方向Ｘ（図３において紙面と直交する方向）に平行に長く延びており、中間壁５６と対応する側壁５２，５３との間にそれぞれ区画されている。一対の挿入凹部６は、ベースハウジング５の連結側端面５ｂにそれぞれ開口するとともに、それぞれ列をなす複数のフォーク状のベースコンタクト７を一括して収容し、これら２列のベースコンタクト７を保持している。
【００１４】
各ベースコンタクト７の一端に設けられたリード部１９は、ベースハウジング５の両側方へ突出し、上述の如く基板１の表面１ａの導電性部材にはんだ付けされている。図１および図２を参照して、ベースハウジング５の長手方向Ｘの両端部の溝（図示せず）にそれぞれ嵌め入れられた補強金具８が、基板１の表面１ａの導電性部材にはんだ付けされ、ベースコネクタ２のねじれ等を防止する働きをしている。
【００１５】
図３を参照して、ソケットコネクタ４のハウジングであるソケットハウジング９は、２列のソケットコンタクト１０を整列配置させており、各ソケットコンタクト１０は対応するコンタクト収容室１１にそれぞれ収容されている。ソケットコンタクト１０は電線３の端部を例えば圧着（圧接であっても良い）するものからなる。圧着によりソケットコンタクト１０に接続された電線３の端部は、ソケットハウジング９の後面９ａの開口１２を通して対応するコンタクト収容室１１内に導入されている。
【００１６】
ソケットコネクタ４の前半部４ａの一対の挿入凸部５７において、ソケットハウジング９は、コンタクト収容室１１を外側方および内側方にそれぞれ開放させる開放部１３，１４を形成しており、ソケットコンタクト１０の一部はこれらの開放部１３，１４を介して外部に臨んでいる。
ベースコンタクト７は、準固定片部１６と弾性片部１７を有するフォーク形形状をなしており、例えば板金により打ち抜き形成される。２列のベースコンタクト７は、互いの弾性片部１７を内側に配置すると共に、互いの準固定片部１６を外側に配置している。２列のベースコンタクト７の弾性片部１７は中間壁５６に当接することによって所定量を超える弾性変形が規制されるようになっている。
【００１７】
ベースコンタクト７は、準固定片部１６および弾性片部１７の基端間を連結する連結部１８を備えている。上記のリード部１９は、連結部１８と準固定片部１６との連結部分からベースコネコク２の両側方へ向けて延び、略Ｌ字形形状をなしている。
準固定片部１６および弾性片部１７は、挿抜孔６の内奥壁２４に形成された各別の挿入孔２５，２６を通して、挿抜孔６内に挿入されている。準固定片部１６は、挿抜孔６を区画するベースハウジング５の側壁５２，５３の内面に形成されたガイド溝３５に一部が収容される状態で配置されている。
【００１８】
準固定片部１６は、ガイド溝３５の底面に略接触する状態で（例えば２０〜５０μｍ程度の隙間を確保する程度で）配置されており、主に位置決め用強度片として機能している。すなわち、準固定片部１６は、ベースハウジング５内で微小量の弾性変形を許容されることにより、この範囲で誤差吸収の役目を果たすとともに、この範囲を超える変形を受けた際には、ガイド溝３５の底面に当接し、ベースハウジング５と協働して、全体の変形やこじれを防止する役目を果たす。
【００１９】
弾性片部１７は、挿抜孔６を区画する中間壁５６の側面に形成されたガイド溝３７に一部が収容される状態で配置されている。弾性片部１７とガイド溝３７の底面との間には、十分な量の隙間が確保されており、側方に弾性変形可能である。これにより、弾性片部１７は、相手方のソケットコンタクト１０の後述する弾性舌片３３との触触圧を確保する接触片として機能しているが、ベースハウジング５が大きくこじられるようなときには、ガイド溝３７の底面に当接して、変形を防止する機能を果たす。
【００２０】
弾性片部１７の先端には、コネクタの挿抜方向Ｚと交差する方向である準固定片部１６側に向けて隆起する山形突起２２が形成されている。また、準固定片部１７の基端に近い部分には、内奥壁２４に食い込んで本ベースコンタクト７を抜け止め固定するための食い込み突起２３が形成されている。
次いで、図３および図４を参照して、ソケットコンタクト１０について説明する。ソケットコンタクト１０は、主体部２７を備えており、この主体部２７の最後部に電線３の絶縁被覆部３ａをクランプするインシュレーションバレル２８が形成され、このインシュレーションバレル２８の前方に電線３の芯線３ｂをクランプするワイヤバレル２９が形成されている。図４を参照して、主体部２７の前半部は、第１の部分３０と、この第１の部分３０の両側に形成される第２および第３の部分３１，３２とを有しており、これら第１，第２および第３の部分３０，３１，３２で断面コ字形形状をなしている。
【００２１】
主体部２７の前半部の第１の部分３０の先端から弾性舌片３３が折り返されている。また、第１の部分３０には、切り起こし突起からなるコンタクトランス３４が弾性舌片３３の反対側へ突出するように設けられている。このコンタクトランス３４は、図３に示すように、ソケットハウジング９の段部からなる当接面９ｂに当接して、ソケットコンタクト１０の抜け止めを果たしている。また、このコンタクトランス３４は、開放部１３を通して外方へ突出しているので、図６に示すコネクタ２，４の連結状態において、相手方のベースハウジング５の挿抜孔６を区画する側壁５２，５３の内面を弾性的に押圧し、これにより、ハウジングランスとしての機能をも果たす。
【００２２】
弾性舌片３３は、コネクタの挿抜方向Ｚと交差する方向に隆起し、弾性片部１７の山形突起２２に係合する山形突起３９を有している。両山形突起２２，３９が両コンタクト７，１０の接続時に図６に示すように互いに相手方の山形突起３９，２２を乗り越えて係合し、接続時にクリック感が得られるようになっている。
弾性舌片３３の先端部４０は第１の部分３０側に折り返されており、弾性舌片３３の自由状態で、その先端部４０が主体部２７の第１の部分３０に略密接されている。これにより、弾性舌片３３が両持ち状に支持されることになり、弾性舌片３３の弾性反発力を増して、ベースコンタクト７の弾性片部１７との間で強い接触圧を得ることができるようになっている。また、ソケットコネクタ４が頻繁に抜き差しされた場合の、弾性舌片３３の耐久性が向上されている。
【００２３】
本実施の形態によれば、いわゆるボード・トゥ・ワイヤ用でダブル（コンタクトの２列配列）の縦型コネクタにおいて、フォーク状のベースコンタクト７が相手方のソケットコンタクト１０をコネクタ幅方向Ｙに弾性的に挟む構造を採用しているので、図６の二点鎖線で示すように電線３が斜めに引っ張られてコネクタ幅方向Ｙの力によるこじりを受ける場合にも、両コンタクト７，１０間に十分な接圧を確保することができる。
【００２４】
また、図６に示すようにコネクタ幅方向Ｙの力によるこじりを受ける場合に、一方の列のフォーク状のベースコンタクト７の弾性片部１７がベースハウジング５の中間壁５６により受けられる一方、他方の列のベースコンタクト７の準固定片部１６がベースハウジング５の側壁５２又は５３により受けられるので、コネクタ幅方向Ｙの力によるこじりに対して強くすることができる。
【００２５】
特に、両コネクタ２，４の結合時において、ソケットコンタクト１０の主体部２７がベースコンタクト７の準固定片部１６を介してベースハウジング５の側壁５２，５３の内面により受けられるので、開放部１３の形成による不具合を生じることがなく、両コネクタ２，４の幅方向に関するこじれを抑制することができる。
また、上記のようにベースコンタクト７がソケットコンタクト１０をコネクタ幅方向Ｙに弾性的に挟む構造を採用しているので、図５に示すように電線３が斜めに引っ張られてコネクタ長手方向Ｘの力によるこじり（いわゆるピッチこじり、ピッチングこじり）を受ける場合にも、両コンタクト７，１０間の接圧が影響を受け難い。
【００２６】
しかも、ソケットコネクタ４のフック６２をベースコネクタ２の係止部６３に係止することで、両ハウジング５，９が長手方向の端部においてロックされるので、いわゆるピッチこじり自体を発生し難くすることができる。
さらに、両コンタクト７，１０に弾性を持たせてあるので、接続時に十分な量の弾性変形量を確保できるので、接続動作時に強いクリック感（接続達成感）を作業者に与えることができる。特に、両コンタクト７，１０は金属からなるので、樹脂部材同士でクリック感を得る場合と比較して、接続動作時により強いクリック感を得ることができる。
【００２７】
また、両コンタクト７，１０間で山形突起２２，３９同士を係合させるので、両コンタクト７，１０が互いに抜け難い。また、両コンタクト７，１０を互いに接続するときに、山形突起２２，３９同士の乗り越え動作で良好なクリック感を得ることができる。
なお、本発明は上記実施の形態に限定されるものではなく、例えば、開放部１３を廃止することもでき、この場合、多少幅は広くなるが高い強度を達成できる。また、弾性片部１６が自由状態でガイド溝３５の底面に当接するようにしても良い。
【図面の簡単な説明】
【００２８】
【図１】本発明の一実施形態のコネクタを構成するベースコネクタおよびソケットコネクタの概略分解斜視図である。
【図２】ベースコネクタおよびソケットコネクタの概略分解側面図である。
【図３】ベースコネクタおよびソケットコネクタの分解断面図である。
【図４】ソケットコネクタの要部の分解斜視図である。
【図５】結合状態の両コネクタの側面図である。
【図６】図５のVI−VI線に沿う断面図である。
【符号の説明】
【００２９】
１    基板
１ａ  表面
２    ベースコネクタ
３    電線
３ａ  絶縁被覆部
３ｂ  芯線
４    ソケットコネクタ
４ａ  前半部
５    ベースハウジング
５ａ  連結側端面
５ｂ  底面
６    挿抜孔
７    ベースコンタクト
９    ソケットハウジング
１０  ソケットコンタクト
１１  コンタクト収容室
１２  開口
１６  準固定部
１７  弾性片部
１８  連結部
１９  リード部
２２  山形突起
２７  主体部
２８  インシュレーションバレル
２９  ワイヤバレル
３０  第１の部分
３１  第２の部分
３２  第３の部分
３３  弾性舌片
３４  コンタクトランス
３５，３７  ガイド溝
３９  山形突起
４０  先端部
５１  底壁
５２，５３  側壁
５４，５５  端壁
５６  中間壁
５７  挿入凸部
６１  弾性アーム
６２  フック
６３  係止部
Ｘ    コネクタ長手方向
Ｙ    コネクタ幅方向
Ｚ    挿抜方向
【図１】
2005196975.tif 000003
【図２】
2005196975.tif 000004
【図３】
2005196975.tif 000005
【図４】
2005196975.tif 000006
【図５】
2005196975.tif 000007
【図６】
2005196975.tif 000008